(57)【要約】【課題】  混合タンク内における位置違いの抜け穴に温水を通す負荷が少なくなるために、温水を送るポンプのモーター稼働効率が良くなり、また、炭酸ガスの無駄がなくなる人工炭酸温水風呂装置を提供する。【解決手段】  浴槽に温水を出し入れするように送る循環パイプに、その送る力となるポンプと、濾過装置と、炭酸ガスの混合装置とを直列に接続し、そのうちの混合装置について、温水の循環パイプが下端と上端に接続される縦長の混合タンクに数段に仕切壁を設けるとともに、各仕切壁に温水と炭酸ガスとが同時に抜ける抜け穴を位置違いの千鳥状に設けた人工炭酸温水風呂装置において、混合タンクの下端部に保温ヒーターを内装するとともに、ポンプからの温水の流入口と、炭酸ガスの噴出口とを保温ヒーターに向けて内装した。【選択図】    図１
2007000470.tif 000002
【特許請求の範囲】
【請求項１】
浴槽に温水を出し入れするように送る循環パイプに、その送る力となるポンプと、濾過装置と、炭酸ガスの混合装置とを直列に接続し、そのうちの混合装置について、温水の循環パイプが下端と上端に接続される縦長の混合タンクに数段に仕切壁を設けるとともに、各仕切壁に温水と炭酸ガスとが同時に抜ける抜け穴を位置違いの千鳥状に設けた人工炭酸温水風呂装置において、混合タンクの下端部に保温ヒーターを内装するとともに、ポンプからの温水の流入口と、炭酸ガスの噴出口とを保温ヒーターに向けて内装したことを特徴とする人工炭酸温水風呂装置。
【請求項２】
混合タンクの上端の温水出口に接続される循環パイプにエア抜き弁を設け、浴槽から出るポンプ近傍の循環パイプとそのエア抜き弁との間に、過剰な炭酸ガスを再び混合装置に戻すように、回収パイプを接続したことを特徴とする請求項１記載の人工炭酸温水風呂装置。
【発明の詳細な説明】
【技術分野】
【０００１】
この発明は、健康効果を高めるために炭酸ガスを混入した温水につかることができるようにした人工炭酸温水風呂装置に関する。
【背景技術】
【０００２】
炭酸ガスは、空気中に僅かに０．０３％程度ばかり含まれ、これが人間の体の代謝を正常になし、また、血管を拡張する作用を有していることから、炭酸ガスを含有する炭酸温泉や人工炭酸温水風呂に浸かると、血行促進や疲労回復、新陳代謝の促進など、身体に良好な効果が得られ、また、温水の保温効果が高く、冷めにくいといことも知られている。
【０００３】
従来の人工炭酸温水風呂装置は、浴槽に対してポンプにより温水を送り出して戻す循環パイプを設けるとともに、その循環パイプに、ポンプの他に保温ヒーターと濾過装置、炭酸ガスの混合装置を直列に接続したものであったので、浴槽に戻された温水は保温に加熱されており、また、炭酸ガスが補充されて炭酸温水としての機能が維持・回復されている。
【０００４】
混合装置は、温水や炭酸ガスをその中を同時に通すように、一般的に上下に長いタンクが使用され、通過中に温水と炭酸ガスが混合するように、タンクの内部に数段に仕切壁を設けるとともに各仕切壁には千鳥状に位置を違えて抜け穴が設けられることによりミキサー機能を有している。しかし、これによると、温水を抜け穴に通すために送りポンプに掛かる負荷が大きくなり、モーターを稼働する維持費が過大となるという問題があった。
【０００５】
炭酸温水につかっていると、皮膚の表面に無数の泡が付着した状態になると効能が得られやすいが、これには温水に炭酸ガスが飽和状態に混入されていることが望ましい。しかし、炭酸ガスが不足する不飽和を防ぐために過剰に混入されると、循環パイプ中に温水の送りに支承が生じたり、浴槽において温水流入口から大きな泡が突然浮上する不都合があることから、従来、過剰な炭酸ガスを浴槽の手前で除くために、混合タンクから出る箇所の循環パイプにエア抜き弁が設けられ、弁から抜けた炭酸ガスを空中に放出させていたが、これでは炭酸ガスが一部不使用で廃棄となり不経済であるという問題があった。
【０００６】
また、ガスボンベは、液化された炭酸ガスが充填されているので、ヒーターにより気化して混合タンクに供給されるが、それでも未気化の液体のまま一部が供給されることがあり、この分の不足でこれによっても温水が不飽和となるために、この調整のためにも過剰な炭酸ガスの供給となり無駄の原因を招いていた。
【発明の開示】
【発明が解決しようとする課題】
【０００７】
この発明は、上記のような実情に鑑みて、混合タンク内における位置違いの抜け穴に温水を通す負荷が少なくなるために、温水を送るポンプのモーター稼働効率が良くなり、また、炭酸ガスの無駄がなくなる人工炭酸温水風呂装置を提供することを課題とした。
【課題を解決するための手段】
【０００８】
上記の課題を解決するために、この発明は、浴槽に温水を出し入れするように送る循環パイプに、その送る力となるポンプと、濾過装置と、炭酸ガスの混合装置とを直列に接続し、そのうちの混合装置について、温水の循環パイプが下端と上端に接続される縦長の混合タンクに数段に仕切壁を設けるとともに、各仕切壁に温水と炭酸ガスとが同時に抜ける抜け穴を位置違いの千鳥状に設けた人工炭酸温水風呂装置において、混合タンクの下端部に保温ヒーターを内装するとともに、ポンプからの温水の流入口と、炭酸ガスの噴出口とを保温ヒーターに向けて内装したことを特徴とする人工炭酸温水風呂装置を提供するものである。
【０００９】
人工炭酸温水風呂装置を上記のように構成したから、混合タンク内に数段に設けられる仕切壁に千鳥状に位置違いに設けられる抜け穴を温水と炭酸ガスがポンプの力で通過するうちに混合が促進されるものであるが、下端部に保温ヒーターが設けられ、それに流入口からの温水と、噴出口からの炭酸ガスが直接触れて混合されやすく効率的に加熱されるばかりでなく、抜け穴を通りやすく浮力が生じることになるために、ポンプのモーターに掛かる負荷が少なくなる。また、噴出口から未ガス化の液が供給されたとしても、それが保温ヒーターに接触することにより直ちに気化するために、炭酸ガスを過剰に供給する必要がなく、過不足なく必要なだけの炭酸ガスの供給により、丁度飽和状態となった温水を混合装置から浴槽に供給することができる。
【発明の効果】
【００１０】
以上説明したように、この発明によれば、混合タンク内における位置違いの抜け穴に温水を通す負荷が少なくなるために、温水を送るポンプのモーター稼働効率が良くなりそれだけ維持費が少なくて済み、また、炭酸ガスの混合効率が良くなり未ガス化の液があっても気化して利用されるため、炭酸ガスの無駄がなくなり経済的であり、そして、炭酸ガスが飽和状態に含む温水を安定して浴槽に供給できるという優れた効果がある。
【発明を実施するための最良の形態】
【００１１】
次に、この発明による実施の形態を図面に基づいて説明する。
【００１２】
図１は、一実施の形態を示したもので、その人工炭酸温水風呂装置は、浴槽１に温水を出し入れする循環パイプ３に、その出し入れの力となる送りポンプ５と、濾過装置７と、炭酸ガスの混合装置９とを順次直列に接続し、そのうち、混合装置９に保温ヒーター１２が内装される。また、混合装置９の出口側の循環パイプ３にエア抜き弁１３を設け、エア抜き弁１３と浴槽１の出口側の循環パイプ３との間に炭酸ガスの回収パイプ１５が接続される。
【００１３】
混合装置９は、混合タンク１７に多段構造体１８を内装したもので、下端内に濾過装置７からの循環パイプ３の流入口２２を突出するほか、炭酸ガスのガスボンベ１９からのガスパイプ２１の噴出口２３が突出される。なお、ガスボンベ１９は炭酸ガスを気化して供給できるよう頭部が調整器ヒーター付きとなっている。また、ガスパイプ２１には、温水の逆流防止のためのチャック弁２４と、炭酸ガスを導入する電磁弁２６とが接続される。
【００１４】
多段構造体１８は、逆容器体１８ａ，１８ａ，・・を積み重ねて連結して混合タンク１７よりも一回り小さい内タンクであって、これによって混合タンク１７の内部に数段に仕切壁２５，２５，・・を有し、各仕切壁２５，２５，・・に抜け穴２７，２７，・・が位置違いの千鳥状に開けられている。また、下端の逆容器体１８ａの内部に保温ヒーター１２が内装され、保温ヒーター１２に向かって前記流入口２２および噴出口２３が設けられている。
【００１５】
そこで、流入口２２からの温水と噴出口２３からの炭酸ガスとが保温ヒーター１２に直接触れて一気に温められることにより混合しやすくなると同時に浮力が生じ、ポンプ５の圧力とこの浮力とで各仕切壁２５，２５，・・の抜け穴２７を順次抜け上がり、上端に至るにしたがって混合が進行する。そして、混合タンク１７の上端の出口２９から循環パイプ３を通って浴槽１に戻される。なお、混合タンク１７内に仕切壁２５，２５，・・を設けた構造は、上記に限られることがなく、例えば混合タンク１７内に直接設けても良い。
【００１６】
混合タンク１７の上端の出口２９から出る温水は炭酸ガスを飽和状態に混合するように調整し、噴出口２３からその量の炭酸ガスを供給するが、過剰に供給した炭酸ガスがあっても、エア抜き弁１３から回収パイプ１５を通って浴槽１の出口側の循環パイプ３に還元され、温水とともに濾過装置７を通ってから再び混合タンク１７に供給される。なお、出口２９には、温度センサー３０が備えられ、温水が例えば３８〜４０°Ｃになるように、保温ヒーター１２で温度調整がなされる。
【００１７】
濾過装置７は、円筒形の容器３１の中心に外周に多数の穴を開けた通水管３３を設け、通水管３３を中心にして下端部に活性炭３５が充填され、それよりも上にはプラスチック製のスポンジ状フイルター３７が巻き付けられる。また、容器３１の側部にポンプ５からの循環パイプ３が接続され、通水管３３の下端に混合装置９への循環パイプ３が接続される。
【００１８】
図２は、混合装置９の別の実施例で、各仕切壁２５，２５…の下面には、それぞれ垂下する複数板（実施例では３枚）の仕切板４０，４０，４０がほヾ等間隔に、且つ下段の仕切壁２５の上面とも一定の間隔を設けて装備されている。この仕切板４０，４０，４０がガスと液体との流通に対して邪魔板や摩擦抵抗の作用をなし、お湯に炭酸ガスが溶け易くする効果をなしている。
【００１９】
また４１は、３０４系ステンレス部材を丸めたもので、これをお湯と炭酸ガスが通過することにより、より細やかに両者の混合を図ることができる。
【００２０】
さらに４２は、天然ミネラル鉱石（特殊多元素鉱石）で、お湯と炭酸ガスがこの間を通過することにより、雑菌，悪臭，有害物質等が吸着され、全体が浄化され、身体に良好な混合液が得られる。
【図面の簡単な説明】
【００２１】
【図１】この発明の人工炭酸温水風呂装置を示す説明図である。
【図２】混合装置の別の実施例装置を示す説明図である。
【符号の説明】
【００２２】
１  浴槽
３  循環パイプ
５  ポンプ
７  濾過装置
９  混合装置
１２  保温ヒーター
１３  エア抜き弁
１５  回収パイプ
１７  混合タンク
２２  流入口
２３  噴出口
２５  仕切壁
２７  抜け穴
２９  温水出口
４０  仕切板
４１  ステンレス部材
４２  天然ミネラル鉱石
【図１】
2007000470.tif 000003
【図２】
2007000470.tif 000004